(57)【要約】【課題】定量バケット投入装置（１３）に対して、後板（５８）の後部縁（６２）から前弧板（５９）の上部縁（６３）までの、定量バケットの回転落下高さＣを、ゼロ以上の高さにする方法を提供する。【解決手段】  定量バケット（３）を開口した場合で、（イ）定量バケット（３）の扇形側板（４）の中心に回転軸（２）を設け、（ロ）後板（７）の後方に回転軸（２）を設け、（ハ）後板（７）と回転軸（２）の間に距離Ｇをできるだけ大きく設け、（ニ）前弧板（９）の上部縁（１０）から回転軸（２）までの垂直距離Ｆをできるだけ大きく設けるような条件を特徴とする。【選択図】図５
2006103963.tif 000002
【特許請求の範囲】
【請求項１】
投入口（１）の下部に回転軸（２）を設け、回転軸（２）の上部に定量バケット（３）を回転自在に枢着し、
回転軸（２）の左右端に、定量バケット（３）の扇形側板（４）、（５）を設け、扇形側板（４）、（５）の中心に回転軸（２）を設け、
投入口（１）の前方へ定量バケット（３）を回転して開口した場合、
定量バケット（３）の上部に開口部分（６）を設け、左右の扇形側板（４）、（５）の間の後上部に後板（７）を、後下部に前板（８）を、前下部に前弧板（９）を設け、
後板（７）の後方に回転軸（２）を設け、後板（７）と回転軸（２）の間に距離Ｇをできるだけ大きく設け、前弧板（９）の上部縁（１０）から回転軸（２）までの垂直距離Ｆをできるだけ大きく設け
投入口（１）の後方へ定量バケット（３）を回転して閉鎖した場合、
左右の扇形側板（４）、（５）の間の前上部に前弧板（９）を、前上部に前板（８）を、後下部に後板（７）を設けたことを特徴とするゴミ投入装置。
【発明の詳細な説明】
【技術分野】
【０００１】  本発明は、定量バケットのゴミ投入装置を関するものである。
【背景技術】
【０００２】  従来の定量バケット投入装置（５０）は、公知の類似構造になっている。
図１は従来の定量バケット投入装置（５０）の閉鎖した状態図、図２は従来の定量バケット投入装置（５０）の開口した状態図に示す。
図１では、定量バケット投入装置（５０）に投入板（５１）を設けて、投入板をゴミ貯留装置（５２）の前側に取付けている。
投入板に投入口（５３）を設け、投入口の下部に回転軸（５４）を設ける。回転軸の上部に定量バケット（５５）を回転自在に枢着する。回転軸の左右端に定量バケットの扇形側板（５６）を設け、扇形の中心に回転軸を設ける。左右の扇形側板の間に前板（５７）、後板（５８）、前弧板（５９）を密着し固定する。
図２では、投入板（５１）の前方へ定量バケット（５５）を回転して開口した場合、定量バケット（５５）の上部に後板（５８）を設ける。
図１では、後方へ定量バケット（５５）を回転して閉鎖した場合、定量バケット（５５）の上部に前板（５７）を設ける。【０００３】  一方、従来の定量バケット投入装置（５０）をゴミ貯留装置（５２）へ取付ける場合には、ゴミ貯留装置（５２）よりも高い位置が必要である。
図３によって、従来の定量バケット投入装置（５０）の投入地上高さＨを、つぎのように構成している。
まず、ゴミ貯留機の機械内部に貯留槽底面高さＡが必要になる。ゴミを投入して移送し貯留するには、ゴミ袋の高さ以上の高さをもっている貯留高さＢが必要である。
後板（５８）の後部縁（６２）から  貯留槽底面高さＡに貯留高さＢを加算した位置が、後板（５８）の後部縁（６２）になる。後板（５８）の後部縁（６２）から前弧板（５９）の上部縁（６３）までの逆転して回転する高さが、定量バケットの回転落下高さＣになる。回転落下高さＣは定量バケット投入装置の独自の機能である。
投入者の投入高さＤは約９００ｍｍが日本人標準である。
すなわち、投入地上高さＨはＡ＋Ｂ＋Ｃの加算になり、Ｈ−Ｄの高さは投入架台（６１）の高さＥとなる。つまり、投入架台の高さＥは、Ａ＋Ｂ＋Ｃの機械の高さによって調整されており、投入架台（６１）を高く設けている。
【発明の開示】
【発明が解決しようとする課題】
【０００４】  人力で投入口へゴミを投入するためには，投入者の投入高さＤは約９００ｍｍ以下にして，投入架台（６１）を高くして，始めてゴミ投入者が投入を可能にした。
しかし実際には投入架台の便益が良くないので，直接の地上に立ったゴミ投入者がゴミを地上直接投入にするように要望している。
最近になって身体障害者への配慮の観点から，住宅建設の必須条件としてバリアフリー（搬送路面の段差の排除）の考え方が義務付けられるようになった。
住宅からでるゴミの投入に際しても，身体障害者が車椅子から容易に直接投入できるような設備が要求されるようになった。
住宅で投入されるゴミ袋では，容量約４０リットルや重量約２０キログラム等の大きさが必要になってきた。
したがって，バリアフリーの機能性として，大きさや重さや平坦さや危険性などが問題になっており、投入架台を廃止する方向が重要になってきている。【０００５】  投入架台を廃止するには、投入地上高さＨが、投入者の高さＤの約９００ｍｍと同じ高さにしなくてはならない。
しかも、貯留槽底面高さＡと貯留高さＢを加算した機械の位置Ａ＋Ｂは、従来の同じ高さが必要になる。
したがって、後板（５８）の後部縁（６２）から前弧板（５９）の上部縁（６３）までの、定量バケットの回転落下高さＣをゼロ以上の高さにする方法が必要になる。
本発明は、これらの問題点を解決するためになされたものである。
【課題を解決するための手段】
【０００６】  以上の課題を解決する手段として、定量バケットを開口した場合で、次のような条件にする。
（イ）定量バケットの扇形側板の中心に回転軸を設ける。
（ロ）後板の後方に回転軸を設ける。
（ハ）後板と回転軸の間に距離Ｇをできるだけ大きく設ける。
（ニ）前弧板の上部縁ｂから回転軸までの垂直距離Ｆをできるだけ大きく設ける。
すなわち、
（１）投入口の下部に回転軸を設け、回転軸の上部に定量バケットを回転自在に枢着する。
回転軸の左右端に定量バケットの扇形側板を設け、扇形側板の中心に回転軸を設ける。
（２）投入口の前方へ定量バケットを回転して開口した場合、定量バケットの上部に開口部分を設け、左右の扇形側板の間の後上部に後板を、後下部に前板を、前下部に前弧板を設ける。
（３）投入口の後方へ定量バケットを回転して閉鎖した場合、左右の扇形側板の間の前上部に前弧板を、前上部に前板を、後下部に後板を設ける。
（４）後板の後方に回転軸を設ける。後板と回転軸の間に距離Ｇをできるだけ大きく設ける。前弧板の上部縁から回転軸までの垂直距離Ｆをできるだけ大きく設ける。
【発明の効果】
【０００７】  発明の効果の目的は、投入地上高さＨに対して回転落下高さＣｏをできるだけ大きくすることにある。したがって、従来の定量バケット投入装置（５０）と本発明の定量バケット投入装置（１３）を比較して、特徴の部分について発明の効果を説明する。
（イ）後板の後方に回転軸を設ける。
従来の定量バケット投入装置（５０）については、図２の開口の場合、回転軸（５４）の前方に前板（５７）が下部になるが、図１の閉鎖の場合、前板（５７）が上部になり、後板（５８）の後部縁（６２）が投入地上高さＨより低い位置にくるので、回転落下高さＣが大きく不利になる。
それに対して本発明の定量バケット投入装置（１３）については、図５の開口の場合、回転軸（２）の前方に後板（７）がくるが、図６の閉鎖の場合、後板（７）の後部縁（２０）が投入地上高さＨより高い位置にくるので、回転落下高さＣｏが大きく有利になる。
（ロ）後板と回転軸の間に距離Ｇをできるだけ大きく設ける。
従来の定量バケット投入装置（５０）については、図２の開口の場合、
後板（５８）を投入板（５１）の後方へ設け、回転軸（２）との間に距離Ｇを設けている。
図１の閉鎖の場合、傾斜になった後板（５８）は回転軸（２）の下にくるので、後部縁（６２）が投入地上高さＨより低い位置にくるので、回転落下高さＣが大きく不利になる。
それに対して本発明の定量バケット投入装置（１３）については、図５の開口の場合、後板（７）を投入板（１４）の前方へ設け、回転軸（２）との間に距離Ｇｏをできるだけ大きくする。
図６の閉鎖の場合、傾斜になった後板（７）は回転軸（２）の上にくるので、後部縁（２０）が投入地上高さＨより高い位置にくるので、回転落下高さＣｏが大きく有利になる。
（ハ）前弧板の上部縁から回転軸までの垂直距離Ｆをできるだけ大きく設ける。
従来の定量バケット投入装置（５０）については、図２の開口の場合、上部縁（６３）は投入地上高さＨの基準になり、前弧板（５９）の上へ前板（５７）を構成する。
したがって、前板（５７）の下に回転軸（２）を設けるようになるので、上部縁から回転軸までの垂直距離Ｆが小さくなり、回転軸の位置は低くなる。
図１の閉鎖の場合、後部縁（６２）は低くなり、回転落下高さＣが小さく不利になる。
それに対して本発明の定量バケット投入装置（１３）については、図５の開口の場合、上部縁（１０）は投入地上高さＨの基準になり、前弧板（９）の下から前板（８）の上へ後板（７）を構成する。したがって、後板（７）の後方で回転軸（２）を上部に設けるようになるので、上部縁（１０）から回転軸（２）までの垂直距離Ｆｏが大きくなり、回転軸（２）の位置は高くなる。図６の閉鎖の場合、後部縁（２０）は高くなり、回転落下高さＣｏが大きく有利になる。
以上の説明によって、本発明の効果である回転落下高さＣｏが大きく有利になることができる。したがって、投入架台の高さＥを廃止することは大きな便益になり、またゴミ貯留装置の貯留高さＢを大きくすることによって大きな利益になる。
【発明を実施するための最良の形態】
【０００８】  本発明の実施の形態について、実施例の構造を説明する。
図４は定量バケット投入装置（１３）を閉鎖した状態の前面図を示す。
ゴミ貯留装置（５２）の前面に、本発明の定量バケット投入装置（１３）の投入板（１４）を取付ける。投入板（１４）に投入口（１）を設け、投入口（１）の下部の左右に軸受（１５）、（１６）を設ける。軸受（１５）、（１６）に回転軸（２）を回転自在に枢着する。回転軸（２）の上部に定量バケット（３）を止金（１７）、（１８）で固定する。
定量バケット（３）は、左右端に扇形側板（４）、（５）、扇形側板（４）、（５）、の間に後板（７）、前板（８）、前弧板（９）、前弧板（９）の上部に把手（１９）を構成する。
回転軸（２）の左右端に扇形側板（４）、（５）を設け、扇形側板（４）、（５）の中心に回転軸（２）を設ける。
図５は定量バケット投入装置（１３）の右側面断面図で開口した状態図を示す。
投入口（１）の前方へ定量バケット（３）を回転して開口した場合になっている。
定量バケット（３）の上部に開口部分（６）を設ける。左右の扇形側板（４）、（５）の間の後上部に後板（７）を、後下部に前板（８）を、前下部に前弧板（９）を設ける。
後板（７）の後方に回転軸（２）を設け、後板（７）と回転軸（２）の間に距離Ｇをできるだけ大きく設ける。前弧板（９）の上部縁（１０）から回転軸（２）までの垂直距離Ｆをできるだけ大きく設ける。
図６は定量バケット投入装置（１３）の右側面断面図で閉鎖した状態図を示す。
投入口（１）の後方へ定量バケット（３）を回転して閉鎖した場合、左右の扇形側板（４）、（５）の間の前上部に前弧板（９）を、前上部に前板（８）を、後下部に後板（７）を設ける。【０００９】  本発明の実施の形態について、実施例の使用方法を説明する。
図６は、投入口（１）の後方へ定量バケット（３）を回転して閉鎖した状態で、通常の状態にある。投入口（１）の前方に、定量バケット（３）の部分を突出して、前上部に前弧板（９）を、前部に前板（８）を、前下部に後板（７）を設けている。
定量バケット（３）の重心は回転軸（２）の中心より後方にあるので、定量バケット（３）は閉鎖されて安定している。
上部の把手（１９）を下部へ引き下ろすと、定量バケット（３）を回転して開口した場合の図５の状態になっており、投入口（１）を後板（７）で塞いでいる。
定量バケット（３）の上部の開口部分（６）にゴミ袋を投入する。ゴミ袋で定量バケット（３）が満量になると、把手（１９）を引き上げて、定量バケット（３）を回転して閉鎖した場合の図６の状態になり、投入口（１）を前板（８）で塞ぎ、後板（７）が傾斜して、ゴミ袋が滑り落下する。
【実施例１】
【００１０】  図５に示すように、本発明の実施例に、さらに二点鎖線の仮想図の内曲板（２１）を追加することもできる。
たとえば、左右の扇形側板の間に、前板、後板、前弧板および内曲板（２１）を固定し、前弧板と後板の内側に面して内曲板（２１）を設けることもできる。ゴミを掬うために、またはゴミの残余を防止するために内曲板（２１）を湾曲にする。
【図面の簡単な説明】
【００１１】
【図１】従来の定量バケット投入装置（５０）を閉鎖した状態図を示す。
【図２】従来の定量バケット投入装置（５０）を開口した状態図を示す。
【図３】従来の定量バケット投入装置（５０）の投入地上高さＨを示す。
【図４】本発明の定量バケット投入装置（１３）を閉鎖した状態の前面図を示す。
【図５】本発明の定量バケット投入装置（１３）の右側面断面図で開口した状態図を示す。
【図６】本発明の定量バケット投入装置（１３）の右側面断面図で閉鎖した状態図を示す。
【符号の説明】
【００１２】        １    投入口
２    回転軸
３    定量バケット
４    扇形側板（左）
５    扇形側板（右）
６    開口部分
７    後板
８    前板
９    前弧板
１０    上部縁
【図１】
2006103963.tif 000003
【図２】
2006103963.tif 000004
【図３】
2006103963.tif 000005
【図４】
2006103963.tif 000006
【図５】
2006103963.tif 000007
【図６】
2006103963.tif 000008